(57)【要約】【課題】  洗濯衣料を、特に部屋干しした際に発生する悪臭を効果的に抑制することができ、且つ地球環境に優しい洗濯用製品組成物を提供すること。【解決手段】  ラクトバシラス（Ｌａｃｔｏｂａｃｉｌｌｕｓ）属、ストレプトコッカス（Ｓｔｒｅｐｔｏｃｏｃｃｕｓ）属、ロイコノストック（Ｌｅｕｃｏｎｏｓｔｏｃ）属、ラクトコッカス（Ｌａｃｔｏｃｏｃｃｕｓ）属、ペディオコッカス（Ｐｅｄｉｏｃｏｃｃｕｓ）属、テトラゲノコッカス（Ｔｅｔｒａｇｅｎｏｃｏｃｃｕｓ）属、バシラス（Ｂａｃｉｌｌｕｓ）属およびスポロラクトバシラス（Ｓｐｏｌｏｌａｃｔｏｂａｃｉｌｌｕｓ）属に属する少なくとも１種の乳酸菌を有効成分として含有することを特徴とする洗濯用製品組成物。【選択図】  なし【特許請求の範囲】
【請求項１】
乳酸菌を有効成分として含有することを特徴とする洗濯用製品組成物。
【請求項２】
ラクトバシラス（Ｌａｃｔｏｂａｃｉｌｌｕｓ）属、ストレプトコッカス（Ｓｔｒｅｐｔｏｃｏｃｃｕｓ）属、ロイコノストック（Ｌｅｕｃｏｎｏｓｔｏｃ）属、ラクトコッカス（Ｌａｃｔｏｃｏｃｃｕｓ）属、ペディオコッカス（Ｐｅｄｉｏｃｏｃｃｕｓ）属、テトラゲノコッカス（Ｔｅｔｒａｇｅｎｏｃｏｃｃｕｓ）属、バシラス（Ｂａｃｉｌｌｕｓ）属およびスポロラクトバシラス（Ｓｐｏｌｏｌａｃｔｏｂａｃｉｌｌｕｓ）属に属する少なくとも１種の乳酸菌である請求項１に記載の洗濯用製品組成物。
【請求項３】
請求項１または２に記載の洗濯用製品組成物で衣料を処理することを特徴とする洗濯衣料の乾燥時の悪臭を抑制する方法。
【発明の詳細な説明】
【技術分野】
【０００１】
本発明は、洗濯用製品組成物に関する。更に詳しくは、洗濯衣料の乾燥時の悪臭を抑制することができる洗濯用製品組成物に関する。
【背景技術】
【０００２】
近年、ライフスタイルや住宅環境の変化を受けて、洗濯衣料を室内に干す場合が多くなってきている。しかしながら、洗濯衣料を室内に干した場合には、乾燥までの時間がかかり、しめった状態におかれる時間が長くなって、衣料から「部屋干し臭」と言われる生乾きのにおいが発生する場合があり、着用時または使用時に不快感を覚えることがある。この「部屋干し臭」の成分は、中鎖アルデヒド、中鎖アルコール、ケトンなどの「黴様のにおい」、短鎖脂肪酸、中鎖脂肪酸などの「酸っぱいにおい」、窒素化合物などの「生臭いにおい」、硫黄化合物から構成される複合臭であり、中でも中鎖脂肪酸（炭素数７〜９）が、独特の酸っぱい汗っぽい臭気のカギとなる構成成分であることが報告されている（非特許文献１参照）。
【０００３】
上記した「部屋干し臭」は、洗濯衣料を部屋に干した際に、洗濯によって落としきれない極微量の皮脂やタンパク質などにより微生物が増殖し、悪臭を発生するものと考えられている。このような悪臭の発生を抑制するため界面活性剤や抗菌剤などを配合することに関するいくつかの提案がなされている。例えば、界面活性剤と紫外線吸収剤と抗菌剤を含有する衣料用洗浄剤組成物（特許文献１参照）、ノニオン界面活性剤、吸油性担体、粘土鉱物及び抗菌剤を含有する洗剤組成物（特許文献２参照）、非イオン界面活性剤及び第４級窒素含有ポリマーとを含有する洗浄剤組成物（特許文献３参照）、第４級窒素含有ポリマー、カチオン性抗菌性化合物及び界面活性剤を含有する液体洗浄剤組成物（特許文献４参照）、特定の２種の陽イオン性化合物と非イオン性界面活性剤を含有する液体洗浄剤組成物（特許文献５参照）、界面活性剤及び溶菌活性値が８０％以上であり、且つカゼイン分解比活性が９０％以上である酵素を含有する洗剤組成物（特許文献６参照）、界面活性剤と菌活性阻害作用及び汚れ分解作用を有する酵素を含有する洗剤組成物（特許文献７参照）などが提案されている。
【０００４】
【非特許文献１】フレグランスジャーナル，Ｖｏｌ．３０，Ｎｏ．７，                          Ｐ．７９−８３，２００２年
【特許文献１】特開平７−１１８６９６号公報
【特許文献２】特開平９−１９４８９９号公報
【特許文献３】特開２００２−６０７８７号公報
【特許文献４】特開２００２−６０７８８号公報
【特許文献５】特開２００２−３４８５９３号公報
【特許文献６】特開２００３−１１９６６３号公報
【特許文献７】特開２００３−１２９０８８号公報
【発明の開示】
【発明が解決しようとする課題】
【０００５】
従来提案されている上述した界面活性剤や抗菌剤などを用いて洗濯後の悪臭の生成を抑制する方法は、それなりの効果を発揮しているが、微生物の栄養源となる皮脂やタンパク質などの汚れを完全に除去することができなかったり、抗菌効果が経時的に弱くなったりして十分満足できるものではなかった。また、界面活性剤や抗菌剤などは地球環境に対して優しい成分とは言い難い。
【０００６】
従って、本発明の目的は、洗濯衣料を、特に部屋干しした際に発生する悪臭を効果的に抑制することができ、且つ地球環境に優しい洗濯用製品組成物を提供することである。
【課題を解決するための手段】
【０００７】
本発明者らは上記のごとき課題を解決すべく、鋭意研究を行った。まず、洗濯物の「部屋干し臭」発生の原因のひとつは、洗濯物に付着し増殖するコリネバクテリウム（Ｃｏｒｙｎｅｂａｃｔｅｒｉｕｍ）属に属するバクテリアによるものであることを微生物学的検証により突き止め、この原因菌の生育を抑制することにより「部屋干し臭」の発生は抑えられると考えた。そして、人や環境に優しい生物の力を使うことすなわち悪臭発生の原因菌の増殖を抑えるバイオプリザーベーション法を見いだした。すなわち、洗剤、柔軟剤などの洗濯用製品に乳酸菌を配合することにより「部屋干し臭」発生の原因菌の増殖を抑制し、悪臭の発生を効果的に抑制することができることを見いだし本発明を完成するに至った。
【０００８】
かくして、本発明は、乳酸菌を有効成分として含有することを特徴とする洗濯用製品組成物を提供するものである。
【０００９】
また、本発明は、上記の洗濯用製品組成物で衣料を処理することを特徴とする洗濯衣料の乾燥時の悪臭を抑制する方法を提供するものである。
【発明の効果】
【００１０】
本発明によれば、洗濯衣料を、特に部屋干しした際に発生する悪臭を効果的に抑制することができ、且つ地球環境に優しい洗濯用製品組成物を提供することができる。
【発明を実施するための最良の形態】
【００１１】
以下、本発明について更に詳細に説明する。
【００１２】
本発明の洗濯用製品組成物は乳酸菌を生菌剤として含有することを特徴とする。乳酸菌としては特に制限されないが、例えば、ラクトバシラス（Ｌａｃｔｏｂａｃｉｌｌｕｓ）属、ストレプトコッカス（Ｓｔｒｅｐｔｏｃｏｃｃｕｓ）属、ロイコノストック（Ｌｅｕｃｏｎｏｓｔｏｃ）属、ラクトコッカス（Ｌａｃｔｏｃｏｃｃｕｓ）属、ペディオコッカス（Ｐｅｄｉｏｃｏｃｃｕｓ）属、テトラゲノコッカス（Ｔｅｔｒａｇｅｎｏｃｏｃｃｕｓ）属、バシラス（Ｂａｃｉｌｌｕｓ）属およびスポロラクトバシラス（Ｓｐｏｌｏｌａｃｔｏｂａｃｉｌｌｕｓ）属に属する乳酸菌を挙げることができ、具体的には、ラクトバシラス  デルブルエキー（Ｌａｃｔｏｂａｃｉｌｌｕｓ  ｄｅｌｂｒｕｅｃｋｉｉ）、ストレプトコッカス  サリバリウス（Ｓｔｒｅｐｔｏｃｏｃｃｕｓ  ｓａｌｉｖａｒｉｕｓ）、ロイコノストック  ラクティス（Ｌｅｕｃｏｎｏｓｔｏｃ  ｌａｃｔｉｓ）、ラクトコッカス  ラクティス（Ｌａｃｔｏｃｏｃｃｕｓ  ｌａｃｔｉｓ）、ペディオコッカス  ペントサセウス（Ｐｅｄｉｏｃｏｃｃｕｓ  ｐｅｎｔｏｓａｃｅｕｓ）、テトラゲノコッカス  ハロフィラス（Ｔｅｔｒａｇｅｎｏｃｏｃｃｕｓ  ｈａｌｏｐｈｉｌｕｓ）、バシラス  コアグランス（Ｂａｃｉｌｌｕｓ  ｃｏａｇｕｌａｎｓ）、スポロラクトバシラス  ナカヤマエ（Ｓｐｏｌｏｌａｃｔｏｂａｃｉｌｌｕｓ  ｎａｋａｙａｍａｅ）などを例示することができる。
【００１３】
上記した乳酸菌の生菌体を得る方法としては、乳酸菌を通常の培養に用いる液体培地等で培養した液状培養物を生菌体として用いることもできるが、利便性等の点から、好ましくは培養後、遠心分離等の分離手段を用いて菌体を回収し、菌体の洗浄を十分行い、凍結乾燥などの適宜な乾燥手段を採用してパウダー状とすることもできるし又は、カプセル状などの適宜な形態に加工して用いることもできる。
【００１４】
本発明において洗濯用製品組成物とは、洗濯に用いられる処理剤であり、洗剤、柔軟剤、漂白剤、糊剤及びこれらの効果増強剤等であり、例えば、上記した乳酸菌を洗濯時に洗剤と同時に添加することもできるし、また例えば、柔軟剤のようにすすぎ時に添加することにより洗濯衣料を、特に部屋干しした際に発生する悪臭を効果的に抑制することができる。
【００１５】
本発明の洗濯用製品組成物に配合される乳酸菌乾燥物（生菌数１０１０〜１０８個／gとして）の使用量は、乳酸菌の種類、形態、洗濯用製品の種類などにより一概にはいえないが、通常、洗濯用製品組成物全体に対して約０．０１〜約１０重量％、好ましくは約０．１〜約１重量％の範囲内を例示することができる。
【００１６】
以下、本発明を実施例および比較例により具体的に説明する。
【実施例】
【００１７】
試験例１（部屋干し臭の発生）
使用済みタオル３枚に、４Ｌの水道水と洗濯洗剤を加え５分間手で押し洗い後排水した。さらに４Ｌの水道水で４回濯ぎを行った。手で絞り水分を除き、４５０×３００×４５０（Ｗ×Ｄ×Ｈ）のアクリル製密閉容器に干し、２５℃、３０℃、３５℃の恒温槽で３日間静置し生乾き状態を保持した。３日間静置後、官能評価を行い「部屋干し臭」が発生しているかどうかを確認した。その結果を表１に示す。
【００１８】
【表１】
2006104257.tif 000002
【００１９】
試験例２（微生物の分離）
試験例１での官能評価の結果、「部屋干し臭」の強かった２５℃または３０℃で静置したタオルから微生物の分離を試みた。すなわち、２５℃または３０℃で３日間静置したタオルの入った瓶に、滅菌水３００ｇを入れスパチュラで良く押し混ぜた。ここから１ｍＬをとり生理的食塩水で適宜に希釈し、ポテトデキストロース寒天培地、標準寒天培地、ｍ−ＴＧＣ培地（嫌気）に混釈培養した。２５℃及び３０℃で１〜４日間培養し、培養後の菌数を測定した。その結果を表２に示す。また、各培地に生育した微生物を単離した。
【００２０】
【表２】
2006104257.tif 000003
【００２１】
試験例３（「部屋干し臭」発生の確認）
０．１％ペプトン水溶液を試験管に分注し、オートクレーブ滅菌した。０．１％ペプトン水溶液に試験例２で分離した分離菌を一白金耳接種し、２５℃及び３０℃で３日間静置培養し、培養液の官能評価を行い、その結果を表３に示す。
【００２２】
【表３】
2006104257.tif 000004
【００２３】
試験例４（「部屋干し臭」を発生するバクテリアの同定試験と臭気発生）
試験例３の官能評価の結果、Ｎｏ．８が最も「部屋干し臭」を良く再現していたので、Ｎｏ．８株について文献（長谷川武治編著  改訂版  微生物の分離と同定＜下＞およびＢＥＲＧＥＹ’Ｓ  ＭＡＮＵＡＬ  ＯＦ  Ｓｙｓｔｅｍａｔｉｃ  Ｂａｃｔｅｒｉｏｌｏｇｙ）に従い同定試験を行った。
【００２４】
同定試験結果
試験項目                結果          
グラム染色                （＋）
Shape                      Ｒ（桿菌）
Spores                    （−）
Motility                  （−）
Growth in air             （＋）
Growth naerobically       （−）
Catalase                  （＋）
Oxidase                   （−）
グルコースからの酸生成    （−）
OF テスト                 （−）
【００２５】
同定試験の結果、コリネバクテリウム（Corynebacterium）属に属する微生物と同定された。この菌株をＣｏｒｙｎｅｂａｃｔｅｒｉｕｍ  ＨＹ−８株とした。
【００２６】
そこで、コリネバクテリウム（Corynebacterium）属に属するＣｏｒｙｎｅｂａｃｔｅｒｉｕｍ  ＨＹ−８株とタイプカルチャー（Ｃｏｒｙｎｅｂａｃｔｅｒｉｕｍ  ｅｑｕｉ  ＩＦＯ３７３０、Ｃｏｒｙｎｅｂａｃｔｅｒｉｕｍ  ｇｌｕｔａｍｉｃｕｍ  ＩＡＭ１２４３５）を用いて部屋干し臭の発生を試みた。すなわち、使用済みタオル３枚に、４Ｌの水道水と洗濯洗剤を加え５分間手で押し洗い後排水した。さらに４Ｌの水道水で４回濯ぎを行った。これを手で絞り水分を除き、ろ紙を筒状にしたタオルにくるんで、９５０ｍＬ容のマヨネーズ瓶に立てて入れた。アルミホイルで軽く蓋をしてオートクレーブ滅菌（１２０℃、１５分）し、一晩室温で放置した。これを３つ用意した。ここに、Ｃｏｒｙｎｅｂａｃｔｅｒｉｕｍ  ＨＹ−８株、Ｃｏｒｙｎｅｂａｃｔｅｒｉｕｍ  ｅｑｕｉ  ＩＦＯ３７３０、Ｃｏｒｙｎｅｂａｃｔｅｒｉｕｍ  ｇｌｕｔａｍｉｃｕｍ  ＩＡＭ１２４３５のそれぞれの普通寒天スラント培養物一白金耳を生理的食塩水１０ｍＬに懸濁した懸濁液１ｍＬを添加し、４５０×３００×４５０（Ｗ×Ｄ×Ｈ）のアクリル製密閉容器に広げて干し、３０℃の恒温槽で３日間静置し生乾き状態を保持した。３日間静置後、官能評価を行い、「部屋干し臭」が発生しているかどうかを確認した。官能評価の結果、いずれの菌株も部屋干し臭を発生しており、部屋干し臭発生分離菌Ｃｏｒｙｎｅｂａｃｔｅｒｉｕｍ  ＨＹ−８株以外のコリネバクテリウム（Corynebacterium）属菌でも部屋干し臭が発生することが分かった。以後、このＣｏｒｙｎｅｂａｃｔｅｒｉｕｍ  ｅｑｕｉ  ＩＦＯ３７３０、Ｃｏｒｙｎｅｂａｃｔｅｒｉｕｍ  ｇｌｕｔａｍｉｃｕｍ  ＩＡＭ１２４３５を部屋干し臭発生菌とした。
【００２７】
実施例１（乳酸菌による部屋干し臭抑制効果）
使用済みタオルを想定するために、タオルを０．１％ペプトン水溶液２．５Ｌに３時間浸漬した。手で良く絞り、全自動洗濯機で洗濯洗剤を使って通常通り洗濯した。良く乾燥するまで部屋に干した後、水道水に浸して軽く水気を絞った。このタオルを筒状にしたろ紙にくるんで、９５０ｍＬ容のマヨネーズ瓶に立てて入れた。アルミニウムホイルで軽く蓋をしてオートクレーブ滅菌（１２０℃、１５分）し一晩室温で放置した。Ｃｏｒｙｎｅｂａｃｔｅｒｉｕｍ  ｅｑｕｉ  ＩＦＯ３７３０の１白金耳を生理的食塩水１０ｍＬに懸濁しこれを９ｍＬ生理的食塩水に１ｍＬずつ分注した。このＣｏｒｙｎｅｂａｃｔｅｒｉｕｍ  ｅｑｕｉ  ＩＦＯ３７３０懸濁液に普通培地（液体培地）で培養した下記の各種乳酸菌０．１ｍＬを添加し、この菌懸濁液（Ｃｏｒｙｎｅｂａｃｔｅｒｉｕｍ  ｅｑｕｉ  ＩＦＯ３７３０と乳酸菌の混濁液）全量を上記タオルに添加し、４５０×３００×４５０（Ｗ×Ｄ×Ｈ）のアクリル製密閉容器に干し、３０℃で３日間静置して５名のパネラーにより官能評価を行った。コントロールは乳酸菌を添加しないタオルとした。
【００２８】
試験に使用した乳酸菌
１．Lactobacillus delbruekii subsp. bulgaricus JCM1002
２．Streptococcus salivarius subsp. thermophilus IFO13957
３．Leuconostoc lactis JCM9700
４．Lactococcus lactis subsp. Lactis JCM5805
５．Pediococcus pentosaceus JCM5890
６．Bacillus coagulans JCM2258
７．Spololactobacillus nakayamae subsp. nakayamae JCM3445
８．Spololactobacillus nakayamae subsp. racemicus JCM3413
【００２９】
官能評価の結果、１〜８のいずれの乳酸菌菌株も、「部屋干し臭」を抑制していることが認められた。
【００３０】
製造例１（乳酸菌生菌パウダーの製造例）
純粋１０００ml、結晶ブドウ糖（純正化学製）１g、ペプトン（極東製薬製）１０g、酵母エキスＤ３（大日本製薬製）５gの培地を１２１℃、１５分殺菌、冷却した。この培地に、Ｌａｃｔｏｂａｃｉｌｌｕｓ  ｄｅｌｂｒｕｅｋｉｉ  ｓｕｂｓｐ．  ｂｕｌｇａｒｉｃｕｓ  ＪＣＭ１００２を３５℃で１日間培養した培養物を１０g接種し、３５℃で１日間静置培養した。得られた培養物を遠心分離（３０００×g、１０分）し、菌体を集菌した。これに生理的食塩水１０gとデキストリン（和光純薬製）５．０gを加え、良く混ぜ、凍結乾燥機（ＵＦＤ−８１０：東京理化器械製）で乾燥し、乾燥乳酸菌粉末（Ｌ）４．５gを得た。
【００３１】
実施例２
下記の組成からなる乳酸菌入り衣料用粉末洗剤Ａ及び下記の組成から乾燥乳酸菌粉末（Ｌ）を除いた洗剤Ｂを作成した。
【００３２】
乳酸菌入り衣料用粉末洗剤Ａの組成
原料名                                        配合量（g）
直鎖アルキル（C11-14）ベンゼンスルホン酸ナトリウム      ２０
アルキル（C12-15）硫酸ナトリウム                          ６
ＰＯＥ（10）アルキル（10-16）エーテル                     ５
ゼオライト                                              １３
珪酸ナトリウム                                          １５
炭酸ナトリウム                                          ２８．５
硫酸ナトリウム                                            ５
亜硫酸ナトリウム                                          １
アクリル酸マレイン酸コポリマー                            ３
香料                                                      ０．５
精製水                                                    ３
乾燥乳酸菌粉末（Ｌ）                                      ０．４５  
【００３３】
全自動洗濯機（Ｎａｔｉｏｎａｌ  ＮＡ−Ｆ４２Ｍ３）に使用済みタオル１０枚を入れ、水量を２Ｌに設定し、乳酸菌入り衣料用粉末洗剤Ａ２０gと洗剤Ｂ２０gを使用して、それぞれ個別に自動洗濯を行った。その際、Ｃｏｒｙｎｅｂａｃｔｅｒｉｕｍ  ｅｑｕｉ  ＩＦＯ３７３０の１白金耳を生理的食塩水１０ｍｌに懸濁し、それを１ｍｌ洗濯槽に添加した。
【００３４】
それぞれの洗濯済みタオルを４５０×３００×４５０（Ｗ×Ｄ×Ｈ）のアクリル製密閉容器に干し、３０℃で３日間静置して、５名のパネラーにより官能評価を行った。官能評価の結果、すべてのパネラーが乳酸菌入り衣料用粉末洗剤Ａを用いたタオルは「部屋干し臭」の発生が認められず、洗剤Ｂを用いたタオルでは「部屋干し臭」の発生が認められると評価した。